(57)【要約】【課題】  本件発明は「シーンシミュレーション洗面化粧台」という従来にはなかった世界初の全く新しいコンセプトの洗面化粧台を提供することを目的としている。【解決手段】  化粧を確認可能な洗面化粧台であって、中央鏡と、その両側方に設けられた側方鏡と、を有する三面鏡と、中央鏡及び両側方の側方鏡の上方から各鏡面に光を照射する上方照明装置と、中央鏡及び両側方の側方鏡の下方から三面鏡の鏡面に光を照射する下方照明装置と、を備え、上方照明装置は、太陽光もしくは上方からの光を再現する擬似照明として構成される一方で、下方照明装置は、下方からの床面反射光を再現する擬似照明として構成され、更に、側方鏡を、側方鏡の正面に立った使用者側に平行移動させることで、側方鏡の背面が照射された光を遮り、側方鏡の鏡面で反射される側方鏡反射光を減光するように構成されていることを特徴とする。【選択図】図５
2018139784.tif 000002
【特許請求の範囲】
【請求項１】
使用者の顔の化粧状態を確認可能な洗面化粧台であって、
洗面ボウルと、
前記洗面ボウルの上方に設けられる中央鏡と、この中央鏡の両側方に設けられ、使用者側へ平行移動できる側方鏡と、を有する三面鏡と、
前記三面鏡の中央鏡及び両側方の側方鏡の上方から各鏡面に光を照射する上方照明装置と、
前記三面鏡の中央鏡及び両側方の側方鏡の下方から各鏡面に光を照射する下方照明装置と、を備え、
前記上方照明装置は、太陽光もしくは上方からの光を再現する擬似照明として構成される一方で、前記下方照明装置は、下方からの床面反射光を再現する擬似照明として構成され、更に、前記側方鏡を、この側方鏡の正面に立った使用者側に平行移動させることで、前記側方鏡の背面が前記上方照明装置及び前記下方照明装置から照射された光を遮り、前記側方鏡の鏡面で反射される側方鏡反射光を減光するように構成されていることを特徴とする洗面化粧台。
【請求項２】
前記側方鏡を、この側方鏡の正面に立った使用者側に平行移動させることで、前記側方鏡の背面が前記上方照明装置及び前記下方照明装置から照射された光を遮り、前記側方鏡の鏡面で反射される前記側方鏡反射光を減光するように構成する一方で、前記中央鏡の鏡面に前記上方照明装置及び前記下方照明装置から照射される光に加えて前記側方鏡の背面を照らす光が反射した背面反射光が入射することで、前記中央鏡の鏡面で反射される中央鏡反射光が増光するように構成されていることを特徴とする請求項１記載の洗面化粧台。
【請求項３】
前記上方照明装置及び前記下方照明装置はそれぞれ前記三面鏡の上方及び下方に固定されており、
前記側方鏡は、前記側方鏡反射光が消失する側方鏡反射光消失状態になるように鏡面に前記上方照明装置及び前記下方照明装置からの光が入射されない位置に平行移動できることを特徴とする請求項２記載の洗面化粧台。
【請求項４】
前記側方鏡は、使用者側へ平行移動される際の移動量に合わせて、前記側方鏡反射光を徐々に減光する調光領域と、この調光領域よりも使用者側に設けられ、前記移動量に係らず前記側方鏡反射光消失状態となる側方鏡反射光消失領域と、を平行移動できることを特徴とする請求項３記載の洗面化粧台。
【請求項５】
前記三面鏡の両側方の側方鏡は、この両側方の側方鏡を突き合わせて前記中央鏡の前方に平行移動させる第２位置に移動可能に構成されているとともに、前記側方鏡を前記第２位置に移動させることで、前記側方鏡は、前記上方照明装置及び前記下方照明装置から照射された光による前記中央鏡反射光を遮り、この中央鏡反射光を減光する一方で、前記側方鏡が前記第２位置に移動される前の第１位置では、前記側方鏡による前記側方鏡反射光が消失することで使用者の顔を照らす照度が減光するよう構成されていることを特徴とする請求項４記載の洗面化粧台。
【請求項６】
さらに、前記下方照明装置の下方で、かつ、前記三面鏡の前面よりも前記三面鏡の正面に立った使用者側に延設するように設けられた平面部を有するカウンターを備え、
前記下方照明装置は、前記カウンターへ光を投光するように構成され、前記カウンターへ投光された光を前記カウンターで反射した第２床面反射光として、前記三面鏡の正面に立った使用者の顔を下方から照射するよう構成されていることを特徴とする請求項５記載の洗面化粧台。
【発明の詳細な説明】
【技術分野】
【０００１】
本発明は、使用者の顔の化粧状態を確認可能な洗面化粧台に関する。
【背景技術】
【０００２】
従来から洗面化粧台は、鏡に映る自分自身の顔を見て、顔へ施した化粧の出来を確認しながら化粧をするために使われている。
一般に化粧とは、外出する際の身だしなみの１つであり、目や頬等の顔の一部を強調したり、シミ・毛穴等を隠したりと他人から自分の顔が綺麗に見えるように行うものであり、色、濃淡、コントラストなどの化粧のバランスで化粧の出来は変化する。
そんな中で、化粧をする人が共通して願っていることは、美白や小顔等を意識し、他人から綺麗に見られたいことであり、そのために「他人へ映る自分の顔をきちんと確認したい」ということが求められている。
【０００３】
このような化粧をする人の願いを叶えるため、特許文献１のような中央鏡と中央鏡の左右に設けられた側方鏡からなる三面鏡タイプの洗面化粧台が開示されている。この洗面化粧台では、左右の側方鏡に、それぞれ上下方向に延びる照明が設けられている。この照明は、上下方向の全長に渡って発光するので、照明から照射される光を顔の正面へ影を作らないように当てることができる。
また、側方鏡を中央鏡の端部を中心として使用者側へ回動させた場合には、側方鏡から照射される光が、顔の側面に集光してくるため、顔の正面よりも顔の側面のほうが明るい状態を作ることができる。そのため、顔に満遍なく光を照射した明るい状態を洗面化粧台の鏡に映し出すことができ、化粧をした人は、洗面化粧台の鏡に映る顔を明るい環境で見ることで施した化粧が良く分かり、色、濃淡、コントラストそれぞれの化粧のバランスを整えやすくなる。
【先行技術文献】
【特許文献】
【０００４】
【特許文献１】特開２０１１−１５８９２号公報
【発明の概要】
【発明が解決しようとする課題】
【０００５】
従来は、顔に影を作らないように満遍なく光を顔に照らし、色、濃淡、コントラストなどの化粧のバランスを整えやすくする洗面化粧台を提供することこそが化粧をする人の望みだと考え、その想いで洗面化粧台の開発がされていた。
【０００６】
しかしながら、実情として化粧をする人は、洗面化粧台の鏡に映る最適な化粧のバランスを整えることを求めているわけではなく、今から向かう先のシーンに合せた化粧を行っていた。
【０００７】
具体的には、例えば、カラオケルームに向かう場合は、ラメ入りのグロスを塗ったり、目立つようにチークを多めに塗って、きらびやかな化粧にしたり、映画館に向かう場合は、肌の色に近いベージュやブラウンのファンデーションやコーラルの口紅を使って地味目の化粧にしたりする。
【０００８】
その要因の一端としては、シーンごとに人の顔への光の入射状態が変化することにある。一例として、前述した各シーンでの実際の人の顔への光の入射状態を以下に示す。カラオケルームでは、人の顔への光の入射状態は、スポット光を受け、顔の正面が強調されてより明るくなる。また、映画館では、照明が弱く設定されており、顔の正面と顔の側面が薄暗い状態となる。当然、太陽光でも季節や時間帯、天候でも光の照度や照射される方向が変化する。
ところが、従来の洗面化粧台の鏡では、使用者の顔へ満遍なく光を当てて、色、濃淡、コントラストなどの化粧のバランスを整えることが目的であり、顔に満遍なく光を当てているため、昼の屋外でのシーンは作り出せたが、上記に示すような、実際の様々なシーンでの光の照度や入射状態は作り出せなかった。
つまり、洗面化粧台の鏡に映る使用者の顔へ当たった光の状態と今から向かうシーンで使用者の顔へ当たる光の状態は一致していなかった。
【０００９】
そのため、実際のシーンでの見え方を洗面化粧台の鏡の前で再現する方法として化粧をする人がしていたことは、頭の中で行き先、時間などの具体的なシーンをイメージし、その際の光の状態に合わせて化粧をすることや、部屋の照明の調整が可能な場合は光の入射状態を調整していた。
このように実際のシーンに合せた化粧をするには多くの経験や高いノウハウが必要であったり、出先で化粧を修整していたりと苦労が伴っていた。
【００１０】
以上より、本件発明は「シーンシミュレーション洗面化粧台」、つまり、「今から向かうシーンを洗面化粧台の鏡の前で手軽に再現することができ、化粧をする人は、そのシーンを洗面化粧台の鏡の前で再現することで光の状態を疑似体験でき、自分自身の経験やノウハウに頼ることなく、今から向かうシーンにぴったりあった化粧が手軽にでき、また施した化粧をそのシーンに合った光の状態下で確認できる洗面化粧台」という従来にはなかった世界初の全く新しいコンセプトの洗面化粧台を提供することを目的としている。
【課題を解決するための手段】
【００１１】
前述した目的を達成するために、本発明は、使用者の顔の化粧状態を確認可能な洗面化粧台であって、洗面ボウルと、洗面ボウルの上方に設けられる中央鏡と、この中央鏡の両側方に設けられ、使用者側へ平行移動できる側方鏡と、を有する三面鏡と、三面鏡の中央鏡及び両側方の側方鏡の上方から各鏡面に光を照射する上方照明装置と、三面鏡の中央鏡及び両側方の側方鏡の下方から各鏡面に光を照射する下方照明装置と、を備え、上方照明装置は、太陽光もしくは上方からの光を再現する擬似照明として構成される一方で、下方照明装置は、下方からの床面反射光を再現する擬似照明として構成され、更に、側方鏡を、側方鏡の正面に立った使用者側に平行移動させることで、側方鏡の背面が上方照明装置及び下方照明装置から照射された光を遮り、側方鏡の鏡面で反射される側方鏡反射光を減光するように構成されていることを特徴とする。
このように構成された本発明においては、様々なシーンを三面鏡の前で疑似体験させる上で欠かせない太陽光もしくは上方から光を作り出す擬似照明と、床面やテーブルなどから顔の下方に入射される床面反射光を作り出す擬似照明とを備えているので、日常生活の様々なシーンにおける顔への光の入射状態を自然な形で正確にシーン再現し、疑似体験させながら化粧を施すことが可能となっている。
さらに、本件発明においては、側方鏡を、側方鏡の正面に立った使用者側に平行移動させるという簡単な操作で、側方鏡の背面が上方照明装置及び下方照明装置から照射された光を遮るように工夫しているため、側方鏡の鏡面で反射される側方鏡反射光を減光することが可能となっている。これによって夕方や暗い部屋の照度が低いシーンを簡単な操作でシーン再現でき、今から行く空間のイメージだけに頼ることなく実際の照明環境下に近い状況で化粧を施すことが可能となったものである。言うまでもなく、側方鏡が移動されていない３つの鏡が面一になっている場合は、上方照明装置及び下方照明装置から三面鏡に照射された光は三面鏡の各鏡面ですべて同じように反射され、その反射光が、三面鏡の正面に立った使用者側の顔に上方及び下方から照射されるため、例えば、晴天の昼間で影がないようなシーンで、顔の正面及び側面に上方、下方から光が当たる公園や街中を歩くシーンを再現することができるものである。
また、上方照明装置及び下方照明装置から照射される光は、使用者を直接照らさず、三面鏡の鏡面を照らしており、本発明は鏡面に反射した光だけで使用者を照らしている。そのため、鏡をわずかに動かすだけでも、鏡面への光の入射角度及び入射量が変わり、顔への光の入射状態が変わるため、異なるシーンを再現することができる。
【００１２】
本発明において、好ましくは、側方鏡を、側方鏡の正面に立った使用者側に平行移動させることで、側方鏡の背面が上方照明装置及び下方照明装置から照射された光を遮り、側方鏡の鏡面で反射される側方鏡反射光を減光するように構成する一方で、中央鏡の鏡面に上方照明装置及び下方照明装置から照射される光に加えて側方鏡の背面を照らす光が反射した背面反射光が入射することで、中央鏡の鏡面で反射される中央鏡反射光が増光するように構成されていることを特徴とする。
このように構成された本件発明においては、側方鏡を単に平行移動させるという簡単な操作で、側方鏡を減光させるだけでなく、中央鏡の鏡面に上方照明装置及び下方照明装置から照射される光に加えて側方鏡の背面を照らす光が反射した背面反射光が入射されて、中央鏡の鏡面で反射される中央鏡反射光を増光するように工夫されている。これによって、簡単な操作で中央鏡と側方鏡で大きな照度差を作り出すようにしたものである。このように構成されたことによって、例えば、カラオケルーム等でスポットライトを直接受ける場合と、受けない場合の両方を同時に疑似体験できるようなシーンを作りだせるものである。更に詳述すれば、中央鏡の正面に立った場合は、顔の正面がより明るく強調された状態となるため、スポットライトからの光を直接受け、自分がお立ち台に立って歌っているシーンとなり、側方鏡の正面に立った場合は、顔の正面と顔の側面が薄暗い状態となり、自分がお立ち台に立って歌っているのではなく椅子に座って聞いている立場のシーンを疑似体験できるものである。このように、一つの空間内でも異なった光の状態となるシーンが多くあるが、本件発明では、単純な一つの操作で２つのシーンを同時に疑似体験でき、その２つのシーンの両方を考慮した最適な化粧を行うことができるものであり、極めて実用的で優れた効果を奏するものである。言うまでもなく、この操作で、明るい昼と暗い夕方や夜などの状況も同様に作りだせるものとなる。更に、中央鏡は上下方向だけでなく側方を含めた中央鏡の略全面から使用者の顔に向けて光が照射され、使用者の顔に満遍なく光を当てることが可能となる。中央鏡の略全面で明るく、また照度差がない状態に近づくため、特許文献１記載の従来の三面鏡と同等の使い方を中央鏡で実現できるものである。
【００１３】
本発明において、好ましくは、上方照明装置及び下方照明装置はそれぞれ三面鏡の上方及び下方に固定されており、側方鏡は、側方鏡反射光が消失する側方鏡反射光消失状態になるように鏡面に上方照明装置及び下方照明装置からの光が入射されない位置に平行移動できることを特徴とする。
このように構成された本発明においては、上方照明装置及び下方照明装置を動かすことなく、側方鏡を移動させるだけの簡単な操作で、使用者の顔を照らす側方鏡反射光が完全に減光され、消失した状態を作り出せるように工夫されている。この側方鏡反射光消失状態において、側方鏡の正面に立った場合、使用者の顔は側方鏡反射光以外の間接的な光のみで照らされる。そのため、顔に光がほとんど当たらない状態となり、例えば、カラオケルーム等において室内照明がお立ち台を照らすスポットライトしかなく、その唯一の照明から離れて歌を聴いているシーンのような完全間接照明シーンを疑似体験することができ、このシーンに最適な化粧を施すことが可能となった。
【００１４】
本発明において、好ましくは、側方鏡は、使用者側へ平行移動される際の移動量に合わせて、側方鏡反射光を徐々に減光する調光領域と、この調光領域よりも使用者側に設けられ、移動量に係らず側方鏡反射光消失状態となる側方鏡反射光消失領域と、を平行移動できることを特徴とする。
このように構成された本発明においては、調光領域において側方鏡の平行移動する際の移動量に合わせて側方鏡反射光を減光でき、使用者の顔へ当たる光の照度を徐々に変更することができる一方で、この調光領域からさらに使用者側に平行移動させて側方鏡反射光消失領域の範囲に移動させるだけで、手軽に安定して側方鏡反射光消失状態を作り出すことができ、発生頻度の多いシーンである完全間接照明シーンを簡単確実に再現できる。
このような優れた工夫によって、例えば、カラオケルームにおいて使用者の状態で変わる様々な光の照度、特に、カラオケルームで発生頻度が多い間接照明しか当たらない椅子に座っている状態での照度を、単に側方鏡を移動させる量だけで実現でき、一層の使い勝手やシーン再現性を向上させることができる。
【００１５】
本発明において、好ましくは、三面鏡の両側方の側方鏡は、両側方の側方鏡を突き合わせて中央鏡の前方に平行移動させる第２位置に移動可能に構成されているとともに、側方鏡を第２位置に移動させることで、側方鏡は、上方照明装置及び下方照明装置から照射された光による中央鏡反射光を遮り、中央鏡反射光を減光する一方で、側方鏡が第２位置に移動される前の第１位置では、側方鏡による側方鏡反射光が消失することで使用者の顔を照らす照度が減光するよう構成されていることを特徴とする。
このように構成された本発明においては、三面鏡の側方鏡を第２位置に移動させるという簡単な操作によって、側方鏡が、上方照明装置及び下方照明装置から照射された光による中央鏡反射光を遮り第２位置での側方鏡に映る使用者の顔を暗くすることができる。一方で開放された第１位置となる領域では側方鏡からの強い側方鏡反射光は消失し、側方鏡がない状態で上方照明装置及び下方照明装置が単に光を照射しているだけの状態となるため使用者の顔への照射される光は減光され、使用者の顔の側面をぼんやり暗い状態で照らすような状態となる。よって、使用者の顔の正面は暗く、両側面がぼんやり明るい状態となることから、夜の街中を歩いている状態で、両側方のネオンや周囲の建物の窓やショールームから漏れる光で顔の側面がぼんやりと明るくなるようなシーンを再現できるものである。このようなシーンは、化粧を施して一番行くようなシーンであり、化粧を失敗したくない重要なシーンであるが、光の入射状態の難しいシーンである。本発明では単に鏡を操作するだけの簡単な操作でこのような光の入射状態の難しいシーンを再現することができる。
【００１６】
本発明において、好ましくは、さらに、下方照明装置の下方で、かつ、三面鏡の前面よりも三面鏡の正面に立った使用者側に延設するように設けられた平面部を有するカウンターを備え、下方照明装置は、カウンターへ光を投光するように構成され、カウンターへ投光された光をカウンターで反射した第２床面反射光として、三面鏡の正面に立った使用者の顔を下方から照射するよう構成されていることを特徴とする。
このように構成された本発明においては、床面や机、テーブルからの床面反射光をカウンターからの反射で実現したものである。下方照明装置からの光を中央鏡や側方鏡で反射させた反射光は、鏡面での反射であるため非常に照度が高く、また乱反射しないことから、一般的な床面反射光とは違ったものになる。本件発明においては、カウンターで光が乱反射することを利用して使用者の顔の下方に光を当てるようにしたことで、床面や机、テーブルと等価の光を使用者に投光することが可能となり、一層自然な形でシーンを再現できるようになった。よって、夜道など地面からのほんのりとした照り返しのある夜の繁華街のシーンを高いレベルで再現可能となり、このシーンを疑似体験しながら最適な化粧を施すことが可能となった。
【発明の効果】
【００１７】
本発明によれば、使用者が側方鏡を単に操作するという簡単な操作で、「シーンシミュレーション洗面化粧台」、つまり、「今から向かうシーンを洗面化粧台の鏡の前で再現することができ、化粧をする人は、そのシーンを洗面化粧台の鏡の前で再現することで光の状態を疑似体験でき、自分自身の経験やノウハウに頼ることなく、今から向かうシーンにぴったりあった化粧が手軽にでき、また施した化粧をそのシーンに合った光の状態下で確認できるという実用上優れた洗面化粧台」という従来になかった世界初の全く新しいコンセプトの洗面化粧台を提供せんとするものである。
【図面の簡単な説明】
【００１８】
【図１】本発明の実施形態による洗面化粧台の外観を示す斜視図である。
【図２】本発明の実施形態の洗面化粧台に備えられたミラーキャビネットを拡大して示す斜視図である。
【図３】側方鏡を使用者側に平行移動させた状態の上面視図である。
【図４】図１のミラーキャビネットにおける光の照射状態を示す側面視図である。
【図５】本発明の実施形態による洗面化粧台のミラーキャビネットにおいて、側方鏡を使用者側に移動させた状態での光の照射状態を示す側面視図である。
【図６】図５の側方鏡をさらに使用者側に平行移動させた状態での光の照射状態を示す側面視図である。
【図７】本発明の実施形態による洗面化粧台において、鏡ユニットがフラット状態での光の照射状態を示す平面視図である。
【図８】本発明の実施形態による洗面化粧台において、鏡ユニットがフラット状態でのカウンター反射光の状態を示す平面視図である。
【図９】本発明の実施形態による洗面化粧台において、鏡ユニットが第１スイング状態での光の照射状態を示す平面視図である。
【図１０】本発明の実施形態による洗面化粧台において、鏡ユニットが第１スイング状態でのカウンター反射光の状態を示す平面視図である。
【図１１】発明の実施形態による洗面化粧台において、鏡ユニットが第２スイング状態での光の照射状態を示す平面視図である。
【図１２】本発明の実施形態による洗面化粧台において、鏡ユニットが第２スイング状態でのカウンター反射光の状態を示す平面視図である。
【発明を実施するための形態】
【００１９】
以下、本発明の実施の形態について図面を参照しつつ説明する。なお、各図面中、同様の構成要素には同一の符号を付して詳細な説明は適宜省略する。
まず、図１乃至図２により、本発明の実施形態による洗面化粧台の基本構造を説明する。図１は、本発明の実施形態による洗面化粧台の外観を示す斜視図である。図２は、本発明の実施形態の洗面化粧台に備えられたミラーキャビネットを拡大して示す斜視図である。
なお、本発明の実施形態において、「光量」と「照度」は比例関係にあり、光量が多いものは照度が高く、光量が少ないものは照度が低いものである。
【００２０】
図１に示すように、本実施形態にかかる洗面化粧台１は、木製の下部収納キャビネット１００と、下部収納キャビネット１００の上方に設けられた、樹脂製の洗面器２００と、洗面器２００内に水を吐出させる水栓装置３００と、洗面器２００の上方に設けられた、ミラーキャビネット４００と、を備えている。なお、本実施形態において、洗面器２００は樹脂製であるが、これに限らず、陶器製の洗面器でもよい。
【００２１】
ここで、本発明の実施形態において、「上方」、「下方」、「右方」及び「左方」という記載は、洗面化粧台１の正面に立って、洗面化粧台１を使用する使用者を基準とした上、下、右及び左をそれぞれいう。また、本発明の実施形態においては、洗面化粧台１から、洗面化粧台１の正面に位置する使用者へ向かう方向を「前方」方向とし、その逆方向を「後方」方向とする。
【００２２】
下部収納キャビネット１００は、木製の板状部材を組み合わせた箱体であり、前方側に設けられた開閉扉１１０を開けることで、内部空間を収納空間として利用することができる。
【００２３】
洗面器２００は、洗面ボウル２１０と、洗面ボウル２１０の後方及び左右両側方に設けられたカウンター部２２０と、を有する。
洗面ボウル２１０は、上面視において略楕円形状であり、水栓装置３００から吐水されて水を底面に設けられた排水口２１１から排出する。
カウンター部２２０は、略水平に形成された平坦面であり、洗面ボウル２１０と一体で形成されている。
また、カウンター部２２０は、その洗面ボウル２１０の後方に設けられた平坦面が後述する鏡ユニット４１０の前面より前方側まで延設するように設けられている。
なお、本実施形態において、洗面ボウル２１０とカウンター部２２０とは、一体成形されているが、別体で成形されたものでもよい。
【００２４】
水栓装置３００は、洗面ボウル２１０後方のカウンター部２２０の上面に載置された吐水部３１０を有する。この吐水部３１０は、前方へ突出しており、洗面ボウル２１０の上方から洗面ボウル２１０に水を吐水することができる。
【００２５】
図２に示すように、ミラーキャビネット４００は、鏡ユニット（三面鏡）４１０と、鏡ユニット４１０の上方から鏡ユニット４１０の鏡面に光を照射する共に、鏡ユニット４１０下方から鏡ユニット４１０前面に光を照射する照明ユニット４２０と、鏡ユニット４１０の後方に設けられ、内部に収納空間を有するミラーキャビネット本体４３０と、を有している。
【００２６】
鏡ユニット４１０は、洗面ボウル２１０の上方に設けられる中央鏡４１１と、中央鏡４１１の左右両側方に設けられた側方鏡４１２と、を有する。
鏡ユニット４１０は、中央鏡４１１の鏡面及び左右の側方鏡４１２の鏡面が面一に並んでいる状態であるフラット状態（図５）でミラーキャビネット本体４３０に取り付けられている。
中央鏡４１１は、矩形状の鏡であり、前方面が鏡面となっている。また、中央鏡４１１は、ミラーキャビネット本体４３０に固定されて配置されている。
側方鏡４１２は、中央鏡４１１の縦幅及び横幅と同様である矩形状の鏡であり、その前方面が鏡面となっており、その後方面が樹脂製の平坦面となっており、上下方向の高さ位置を揃えた状態で配置されている。また、側方鏡４１２の内側側面は、平坦面になっている。なお、本実施形態において、側方鏡４１２の後方面は樹脂製であるが、光を透過しない他の材質で形成されていてもよい。
【００２７】
照明ユニット４２０は、鏡ユニット４１０の上方に位置する上方照明部４２１（上方照明装置）と、鏡ユニット４１０の下方に位置する下方照明部４２２（下方照明装置）と、を有する。
照明ユニット４２０は、ミラーキャビネット４００に設けられた操作スイッチ（図示せず）を操作することで、点灯及び消灯を切り替えられる。
照明ユニット４２０は、点灯中の発光色が昼白色であり、朝、昼の光に近い白色系の色合いを再現することができる。
また、照明ユニット４２０は、切替えスイッチ（図示せず）を操作することで、点灯中の発光色を昼白色から温白色に切り替えることができ、温白色では、夕暮れに近い橙色系の色合いを再現できる。
【００２８】
上方照明部４２１及び下方照明部４２２は、ミラーキャビネット本体４３０の前面に固定され、そこから鏡ユニット４１０の前方まで延びている。
上方照明部４２１及び下方照明部４２２は、鏡ユニット４１０の横幅と同一の幅を有している。
なお、上方照明部４２１及び下方照明部４２２の横幅は、鏡ユニット４１０の横幅より小さいほうがより好ましい。
【００２９】
上方照明部４２１は、鏡ユニット４１０の上端近傍に配置されており、鏡ユニット４１０との間にほぼ隙間がないように配置されている。
この上方照明部４２１は、電線（図示せず）に接続されたＬＥＤ光源（図示なし）と、このＬＥＤ光源を覆う樹脂製の遮蔽部材（図示なし）とを有し、遮蔽部材によって、ＬＥＤ光源の上方、前方、左右側方が覆われているので、その下面から光を照射する。
また、上方照明部４２１は、太陽光もしくは上方からの光を再現する擬似照明して機能する。
下方照明部４２２は、鏡ユニット４１０の下端近傍に配置されており、鏡ユニット４１０との間にほぼ隙間がないように配置されている。
この下方照明部４２２は、電線（図示せず）に接続されたＬＥＤ光源（図示なし）と、このＬＥＤ光源を覆う樹脂製の遮蔽部材（図示なし）とを有し、遮蔽部材によって、ＬＥＤ光源の前方及び左右側方が覆われているので、その上面及び下面から光を照射する。
また、下方照明部４２２は、下方からの床面反射光を再現する擬似照明として機能する。
【００３０】
次に、図３を用いて、鏡ユニットの詳細について説明を行う。図３は、側方鏡を使用者側に平行移動させた状態の上面視図である。
【００３１】
図３に示すように、側方鏡４１２は、棒状のフレーム部材４１３を介してミラーキャビネット本体４３０に接続されている。なお、フレーム部材４１３は、側方鏡４１２の上下端部にそれぞれ１本ある。
フレーム部材４１３は、一端が側方鏡４１２の後方面の左右方向の外側端部に接続され、他端がミラーキャビネット本体４３０の側方鏡４１２の内側端部側に接続されている。また、フレーム部材４１３の両先端は蝶番（図示せず）となっている。
側方鏡４１２は、内側端部側の回動角度αと外側端部側の回動角度βを調整することで、側方鏡４１２の高さ位置を変えずに使用者側である前方に平行移動的に移動させることができる。
具体的には、側方鏡４１２は、側方鏡４１２を側方鏡４１２の正面に立った使用者側に平行移動させる第１スイング状態（実線の状態）と、両側方の側方鏡４１２を突き合わせて中央鏡４１１の前方に側方鏡４１２を平行移動させる第２スイング状態（点線の状態）に鏡ユニット４１０をすることができる。
なお、本実施形態において、フラット状態及び第１スイング状態における側方鏡４１２の位置を第１位置とし、第２スイング状態における側方鏡４１２の位置を第２位置とする。
なお、本実施形態において、使用者側とは、洗面化粧台１の正面に位置する使用者の方向を指す。
【００３２】
第１スイング状態は、側方鏡４１２がほぼ前後方向にのみ平行移動した状態であり、中央鏡４１１を完全に覆っていない。
また、中央鏡４１１の鏡面と、側方鏡４１２の後方面との間には光を妨げるものがなく開放された状態となっている。
この第１スイング状態は、上方照明部４２１及び下方照明部４２２よりも前方側でも行うことができる。
【００３３】
第２スイング状態は、左右の側方鏡４１２が突き合わされ中央鏡４１１の正面である第２位置に位置する状態であり、中央鏡４１１を覆っている。
この第２スイング状態において、フラット状態及び第１スイング状態において左右の側方鏡４１２が位置していた第１位置の領域には鏡がなく、ミラーキャビネット本体４３０の前方が開放されている。また、側方鏡４１２の内側側面が平坦面になっているため、突き合わせた側方鏡４１２の間から光がもれないようになっている。
【００３４】
このように側方鏡４１２を平行移動させて第１スイング状態及び第２スイング状態にすることで、鏡ユニット４１０は、照明ユニット４２０からの光を、減光または増光することができ、使用者に対して、複数の光の照射状態を作り出すことができる。なお、具体的な光の照射状態については後述する。
【００３５】
次に、図４乃至図６より、照明ユニット４２０から照射される光について説明を行う。
図４は、図１のミラーキャビネットにおける光の照射状態を示す側面視図である。図５は、本発明の実施形態による洗面化粧台のミラーキャビネットにおいて、側方鏡を使用者側に移動させた状態での光の照射状態を示す側面視図である。図６は、図５の側方鏡をさらに使用者側に平行移動させた状態での光の照射状態を示す側面視図である。
【００３６】
まず、図４及び図５より、照明ユニット４２０から照射される光について説明を行う。
【００３７】
図４に示すように、上方照明部４２１は、その下面から鏡ユニット４１０の鏡面に照射光Ｌｕを照射している。上方照明部４２１から照射された照射光Ｌｕは、鏡ユニット４１０の鏡面に反射され、鏡面反射光Ｒｕが鏡ユニット４１０の正面に立った使用者側に向かう。この鏡面反射光Ｒｕは、使用者Ｍの顔を上方から照らし、太陽光もしくは上方から室内照明の光を作り出すことができる。
同様に、下方照明部４２２は、その上面から鏡ユニット４１０の鏡面に照射光Ｌｄを照射している。下方照明部４２２から照射された照射光Ｌｄは、鏡ユニット４１０の鏡面に反射され、鏡面反射光Ｒｄが鏡ユニット４１０の正面に立った使用者側に向かう。この鏡面反射光Ｒｄは、使用者Ｍの顔を下方から照らし、下方からの床面反射光を再現することができる。
【００３８】
この鏡面反射光Ｒｕ、Ｒｄによって、日常生活の様々なシーンにおける顔への光の入射状態を自然な形で正確にシーン再現し、疑似体験させながら化粧を施すことが可能となっている。
【００３９】
また、下方照明部４２２は、その下面から洗面ボウル２１０の後方に設けられたカウンター部２２０に向けて照射光Ｌｋを照射している。下方照明部４２２からカウンター部２２０に向けて照射された照射光Ｌｋは、カウンター部２２０の上面で乱反射し、カウンター反射光Ｒｋが鏡ユニット４１０の正面に立った使用者側に向かう。このカウンター反射光Ｒｋ（第２床面反射光）は、使用者Ｍの顔を下方から照らす。
このカウンター反射光Ｒｋによって、床面や机、テーブルと等価の光を使用者に投光することが可能となる。
なお、本実施形態において、カウンター反射光Ｒｋが使用者側に向かいやすいように、照射光Ｌｋは、真下出なく、斜め前方に向けて照射されているが、カウンター部２２０に前方傾斜をつけて使用者側にカウンター反射光Ｒｋが向かいやすいようにしてもよい。
なお、本実施例において、下方照明部４２２は、鏡ユニット４１０の鏡面及びカウンター部２２０にむけて照射光Ｌｄ、Ｌｋを照射しているが、鏡ユニット４１０に向けての照射と、カウンター部２２０に向けての照射をする別体の照明で行っても良い。
【００４０】
ここで、上方照明部４２１及び下方照明部４２２から照射される照射光Ｌｕ、Ｌｄ、Ｌｋの光量は、Ｌｕ：Ｌｄ：Ｌｋ＝１００：４０：１００となっている。鏡ユニット４１０の鏡面での反射率は、略９０％であり、カウンター部２２０の上面での反射率は、樹脂による反射となるため光エネルギーの減衰率が大きくなり略２０％となり、鏡面反射光Ｒｕ、Ｒｄとカウンター反射光Ｒｋの光量は、Ｒｕ：Ｒｄ：Ｒｋ＝９０：３６：２０となっている。
【００４１】
図５に示すように、側方鏡４１２を鏡ユニット４１０の正面に立った使用者側に平行移動させると、上方照明部４２１及び下方照明部４２２から照射される照射光Ｌｕ、Ｌｄの照射範囲は変わらず、側方鏡４１２の鏡面が上方照明部４２１及び下方照明部４２２から照射される照射光Ｌｕ、Ｌｄの照射位置の後端より前方に位置するようになる。そのため、照射光Ｌｕ、Ｌｄの一部は、側方鏡４１２の鏡面に照射されず、側方鏡４１２の背面側にあるミラーキャビネット本体４３０に照射されるようになる。
つまり、鏡面反射光Ｒｕ、Ｒｄは、側方鏡４１２を使用者側に平行移動させると、側方鏡４１２の鏡面に照射される照射光Ｌｕ、Ｌｄが少なくなり、側方鏡４１２が前方（使用者側）へ移動していないフラット状態と比べて減光され使用者側に届く。
なお、上方照明部４２１及び下方照明部４２２は、鏡ユニット４１０の側方鏡４１２と上下方向の隙間がほぼないように配置されているため、ミラーキャビネット本体４３０で反射されたキャビネット反射光Ｃｕ、Ｃｄをほぼ完全に遮ることができ、側方鏡４１２よりも使用者側へ照射されないようになっている。
したがって、側方鏡４１２を使用者側に平行移動させ、鏡面反射光Ｒｕ、Ｒｄが減光されると、側方鏡４１２よりも使用者側へ届く光が減光されたことになる。
また、側方鏡４１２は、側方鏡４１２の前方（使用者側）へ平行移動される移動量Ｄに合わせて、側方鏡４１２の鏡面に照射される照射光Ｌｕ、Ｌｄが少なくなり、側方鏡で反射される側方鏡反射光Ｒｕ１、Ｒｄ１を徐々に減光することができる。なお、本実施形態において、図４及び図５の領域が調光領域である。
【００４２】
図６に示すように、側方鏡４１２を図４及び図５の位置から鏡ユニット４１０の正面に立った使用者側にさらに平行移動させると、側方鏡４１２は、上方照明部４２１及び下方照明部４２２の照射光Ｌｕ、Ｌｄの照射範囲よりも前方に位置し、上方照明部４２１及び下方照明部４２２から照射される照射光Ｌｕ、Ｌｄは、側方鏡４１２の鏡面に入射しなくなり、移動量Ｄに係らず側方鏡反射光Ｒｕ１、Ｒｄ１が消失し、使用者に届かない側方鏡反射光消失状態にすることができる。また、ミラーキャビネット本体４３０で反射されたキャビネット反射光Ｃｕ、Ｃｄをほぼ完全に遮ることができ、側方鏡４１２よりも使用者側へ照射されないようになっている。そのため、使用者Ｍの顔には、光がほとんど照射されない。なお、本実施形態において、図６の領域が側方鏡反射光消失領域である。
【００４３】
次に、図７乃至図１２より、照明ユニット４２０からの光の照射状態について、鏡ユニット４１０の状態（フラット状態、第１スイング状態、第２スイング状態）ごとに説明を行う。図７は、本発明の実施形態による洗面化粧台において、鏡ユニットがフラット状態での光の照射状態を示す平面視図である。図８は、本発明の実施形態による洗面化粧台において、鏡ユニットがフラット状態でのカウンター反射光の状態を示す平面視図である。
図９は、本発明の実施形態による洗面化粧台において、鏡ユニットが第１スイング状態での光の照射状態を示す平面視図である。図１０は、本発明の実施形態による洗面化粧台において、鏡ユニットが第１スイング状態でのカウンター反射光の状態を示す平面視図である。図１１は、発明の実施形態による洗面化粧台において、鏡ユニットが第２スイング状態での光の照射状態を示す平面視図である。図１２は、本発明の実施形態による洗面化粧台において、鏡ユニットが第２スイング状態でのカウンター反射光の状態を示す平面視図である。
【００４４】
まず、図７及び図８により側方鏡４１２が前方（使用者側）へ移動していないフラット状態での光の照射状態について説明を行う。
【００４５】
図７及び図８に示すように、フラット状態において、鏡ユニット４１０の中央鏡４１１の鏡面及び左右の側方鏡４１２の鏡面が面一に並んでいる。
この状態において、照射光Ｌｕ、Ｌｄは、中央鏡４１１及び側方鏡４１２の各鏡面ですべて同じように反射され、その鏡面反射光Ｒｕ、Ｒｄが、三面鏡の正面に立った使用者の顔に上方及び下方から照射される。
また、カウンター反射光Ｌｋも三面鏡の正面に立った使用者の顔に下方から照射される。
【００４６】
そのため、フラット状態において、例えば、晴天の昼間で影がないようなシーンで、顔の正面および側面に上方、下方から光が当たる公園や街中を歩くシーンを再現することができるものである。
【００４７】
次に、図９及び図１０を用いて第１スイング状態での光の照射状態について説明を行う。
【００４８】
図９に示すように、第１スイング状態において、側方鏡４１２はフラット状態と比べて前後方向の位置のみが使用者側に移動している。
この状態において、中央鏡４１１と側方鏡４１２との間には光を妨げるものがなく開放された状態となっている。
なお、本実施形態において、側方鏡４１２は、側方鏡４１２の移動量Ｄをできるだけ大きくしており、上方照明部４２１及び下方照明部４２２よりも前方側の位置である側方鏡反射光消失領域にある。
【００４９】
この状態において、上方照明部４２１及び下方照明部４２２から側方鏡４１２に照射される照射光Ｌｕ、Ｌｄは、ミラーキャビネット本体４３０を照らしており、側方鏡４１２の鏡面に入射しない（図４参照）。そして、照射光Ｌｕ、Ｌｄをミラーキャビネット本体４３０で反射させたキャビネット反射光Ｃｕ、Ｃｄが側方鏡４１２の背面に遮られるので、側方鏡４１２の鏡面で反射される側方鏡反射光Ｒｕ１、Ｒｄ１はなく使用者側に届かない。
また、中央鏡４１１と側方鏡４１２との間には光を妨げるものがなく開放された状態になっているので、中央鏡４１１には、照射光Ｌｕ、Ｌｄに加えて、キャビネット反射光Ｃｕ、Ｃｄを側方鏡４１２の背面で反射した背面反射光Ｂｕ、Ｂｄが中央鏡４１１の鏡面の左右の両側方側から入射することで、中央鏡で反射される中央鏡反射光Ｒｕ２、Ｒｄ２が増光されている。
このように、第１スイング状態のおいては、簡単な操作で中央鏡４１１と側方鏡４１２で大きな照度差を作り出している。
また、カウンター反射光Ｒｋが、使用者に向けて照射されている。
【００５０】
この第１スイング状態において、側方鏡４１２の正面に立った使用者には、中央鏡反射光Ｒｕ２、Ｒｄ２の間接光が使用者の顔の側面にわずかに照射されることによって、顔の正面と顔の側面が薄暗い状態になる。また、使用者の顔の下方には、カウンター反射光Ｒｋが照射されているので、顔の下方がぼんやりと明るい状態になる。
そのため、使用者は、例えば、カラオケルームで、自分がお立ち台に立って歌っているのではなく椅子に座って聞いている立場のときに、床面からのほんのりとした光の照り返しを受けるシーンを疑似体験できる。
【００５１】
また、中央鏡４１１の正面に立った使用者には、増光された中央鏡反射光Ｒｕ２、Ｒｄ２が使用者の顔に照射されることによって、使用者の顔の正面がより強調される。
そのため、使用者は、例えば、カラオケルームでスポットライトからの光を直接受け、自分がお立ち台に立って歌っているシーンを疑似体験することができる。
また、増光された中央鏡反射光Ｒｕ２、Ｒｄ２は、側方鏡４１２の後方面に反射された背面反射光Ｂｕ、Ｂｄが、中央鏡の両側方側から入射することで増光されているため、使用者の顔に満遍なく照射されるようになっており、従来の洗面化粧台から光をうける状態を再現できる。
【００５２】
このように、鏡を操作するという単純な１つの操作で異なった２つのシーンを同時に疑似体験することができ、その２つのシーンの両方を考慮した最適な化粧を行うことができる。
なお、本実施形態において、背面反射光Ｂｕ、Ｂｄが中央鏡４１１の方向に反射されやすいように、側方鏡４１２の後方面を側方鏡４１２の鏡面に対して中央鏡４１１側に偏向させるようにしてもよい。
また、側方鏡４１２は、フラット状態時と比べて角度を変えず平行移動しているが、側方鏡４１２の後方面が中央鏡４１１の鏡面のほうを向くようにわずかに角度を変えた状態であっても良く、この場合、中央鏡４１１により多くの背面反射光Ｂｕ、Ｂｄが入射しやすくなり、中央反射光Ｒｕ２、Ｒｄ２がより増光される。
【００５３】
次に、図１１及び図１２を用いて第２スイング状態での光の照射状態について説明を行う。
【００５４】
図１１及び図１２に示すように、第２スイング状態において、側方鏡４１２は、左右の側方鏡４１２を突き合わせた状態で中央鏡４１１の正面である第２位置に位置する。
この第２スイング状態において、フラット状態及び第１スイング状態において左右の側方鏡４１２が位置していた第１位置の領域には鏡がなく、ミラーキャビネット本体４３０の前方が開放されている。また、側方鏡４１２の内側側面が平坦面になっているため、突き合わせた側方鏡４１２の間から光がもれないようになっている。
なお、第２スイング状態において、側方鏡４１２を突き合わせた状態から隙間が開きにくいように、側方鏡４１２の内側側面に磁石を取り付けてもよい。
また、本実施形態において、側方鏡４１２は、側方鏡４１２の移動量Ｄをできるだけ大きくしており、上方照明部４２１及び下方照明部４２２よりも前方側の位置である側方鏡反射光消失領域にある。
【００５５】
この状態において、側方鏡４１２の背面は、キャビネット反射光Ｃｕ、Ｃｄと、中央鏡反射光Ｒｕ１、Ｒｄ１と、を遮っている。また、上方照明部４２１及び下方照明部４２２よりも側方鏡４１２が前方であり、側方鏡４１２の鏡面に照射光Ｌｕ、Ｌｄが入射しないため、第２位置での側方鏡反射光Ｒｕ１、Ｒｄ１はなく、使用者に鏡面で反射された光は届かない。
一方で、側方鏡４１２の左右両側方である第１位置では、ミラーキャビネット本体４３０の前方が開放されているので、側方鏡４１２に反射する側方鏡反射光Ｒｕ１、Ｒｄ１がなく、キャビネット反射光Ｃｕ、Ｃｄだけが使用者側に届く。
また、図１２に示すように、第２スイング状態において、カウンター反射光Ｒｋが、使用者側に向けて照射されている。
【００５６】
そのため、使用者は、使用者の顔の正面が暗く、両側面がぼんやり明るくなることから、例えば、夜の街中を歩いている状態で、両側方のネオンや周囲の建物の窓やショールームから漏れる光で顔の側面がぼんやりと明るくなるようなシーンを疑似体験することができる。
【００５７】
更に、側方鏡反射光Ｒｄ１が使用者側に届いておらず、使用者の顔の下方から照射される光は、ほぼカウンター反射光Ｒｋだけとなっている。よって、夜道などの地面からのほんのりとした光の照り返しのあるシーンを再現でき、側方鏡４１２の正面に立った使用者は、より自然な形のシーンを疑似体験しながら化粧を行うことができる。
【００５８】
このように、部屋の照明の調整が不要で、側方鏡４１２を操作するという手軽な操作で、複数の光の入射状態を作り出し、昼の屋外に限らず、屋内でのシーンを疑似体験することができ、時間の制約があるときでも女性にとって使い勝手が良く、使用者が想定する様々なシーンに適切な化粧を施すことができる。
【００５９】
つぎに、上述した本発明の実施形態による洗面化粧台１における作用について説明する。
まず、本発明の実施形態による洗面化粧台１によれば、様々なシーンを鏡ユニット４１０の前で疑似体験させる上で欠かせない太陽光もしくは上方から光の擬似照明となる上方照明部４２１と、床面やテーブルなどから顔の下方に入射される床面反射光を作り出す擬似照明となる下方照明部４２２とを備えているので、日常生活の様々なシーンにおける顔への光の入射状態を自然な形で正確にシーン再現し、疑似体験させながら化粧を施すことが可能となっている。
さらに、本件発明においては、側方鏡４１２を、側方鏡４１２の正面に立った使用者側に平行移動させるという簡単な操作で、側方鏡４１２の背面が上方照明部４２１及び下方照明部４２２から照射された照射光Ｌｕ、Ｌｄを遮るように工夫しているため、側方鏡４１２の鏡面で反射される側方鏡反射光Ｒｕ１、Ｒｄ１を減光することが可能となっている。これによって夕方や暗い部屋の照度が低いシーンを簡単な操作でシーン再現でき、今から行く空間のイメージだけに頼ることなく実際の照明環境下に近い状況で化粧を施すことが可能となったものである。言うまでもなく、側方鏡４１２が移動されていない３つの鏡が面一になっている場合（図５参照）は、上方照明部４２１及び下方照明部４２２から鏡ユニット４１０に照射された照射光Ｌｕ、Ｌｄは鏡ユニット４１０の各鏡面ですべて同じように反射され、その反射光である鏡面反射光Ｒｕ、Ｒｄが、鏡ユニット４１０の正面に立った使用者側の顔に上方及び下方から照射されるため、例えば、晴天の昼間で影がないようなシーンで、顔の正面および側面に上方、下方から光が当たる公園や街中を歩くシーンを再現することができるものである。
また、上方照明部４２１及び下方照明部４２２から照射される照射光Ｌｕ、Ｌｄは、使用者を直接照らさず、三面鏡ユニット４１０の鏡面を照らしており、本件発明では鏡面に反射した光だけで使用者を照らしている。そのため、側方鏡４１２をわずかに動かすだけでも、鏡面への光の入射角度及び入射量が変わり、顔への光の入射状態が変わるため、異なるシーンを再現することができる。
【００６０】
また、本発明の実施形態による洗面化粧台１によれば、側方鏡４１２を単に平行移動させるという簡単な操作で、側方鏡４１２で反射される側方鏡反射光Ｒｕ１、Ｒｄ１を減光させるだけでなく、中央鏡４１１の鏡面に上方照明部４２１及び下方照明部４２２から照射される照射光Ｌｕ、Ｌｄに加えて側方鏡４１２の背面を照らすキャビネット反射光Ｃｕ、Ｃｄが反射した背面反射光Ｂｕ、Ｂｄが入射されて、中央鏡４１１の鏡面で反射される中央鏡反射光Ｒｕ２、Ｒｄ２を増光するように工夫されている。これによって、簡単な操作で中央鏡４１１と側方鏡４１２で大きな照度差を作り出すようにしたものである。このように構成されたことによって、例えば、カラオケルーム等でスポットライトを直接受ける場合と、受けない場合の両方を同時に疑似体験できるようなシーンを作りだせるものである。更に詳述すれば、中央鏡４１１の正面に立った場合は、顔の正面がより明るく強調された状態となるため、スポットライトからの光を直接受け、自分がお立ち台に立って歌っているシーンとなり、側方鏡４１２の正面に立った場合は、顔の正面と顔の側面が薄暗い状態となり、自分がお立ち台に立って歌っているのではなく椅子に座って聞いている立場のシーンを疑似体験できるものである。このように、一つの空間内でも異なった光の状態となるシーンが多くあるが、本件発明では、単純な一つの操作で２つのシーンを同時に疑似体験することができるものであり、極めて実用的で優れた効果を奏するものである。言うまでもなく、この操作で、明るい昼と暗い夕方や夜などの状況も同様に作りだせるものとなる。更に、中央鏡４１１は上下方向だけでなく側方を含めた中央鏡４１１の略全面から使用者の顔に向けて光が照射され、使用者の顔に満遍なく光を当てることが可能となる。中央鏡４１１の略全面で明るく、また照度差がない状態に近づくため、従来の三面鏡と同等の使い方を中央鏡４１１で実現できるものである。
【００６１】
また、本発明の実施形態による洗面化粧台１によれば、上方照明部４２１及び下方照明部４２２を動かすことなく、側方鏡４１２を移動させるだけの簡単な操作で、使用者の顔を照らす側方鏡反射光Ｒｕ１、Ｒｄ１が完全に減光され、消失した状態を作り出せるように工夫されている。この側方鏡反射光消失状態において、側方鏡４１２の正面に立った場合、使用者の顔は側方鏡反射光Ｒｕ１、Ｒｄ１以外の間接的な光であるキャビネット反射光Ｃｕ、Ｃｄ、カウンター反射光Ｒｋ、中央反射光Ｒｕ２、Ｒｄ２の間接光で照らされる。そのため、顔に光がほとんど当たらない状態となり、例えば、カラオケルーム等において室内照明がお立ち台を照らすスポットライトしかなく、その唯一の照明から離れて歌を聴いているシーンのような完全間接照明シーンを疑似体験することができ、このシーンに最適な化粧を施すことが可能となった。
【００６２】
また、本発明の実施形態による洗面化粧台１によれば、調光領域において側方鏡４１２の平行移動する際の移動量Ｄに合わせて側方鏡反射光Ｒｕ１、Ｒｄ１を減光でき、使用者の顔へ当たる光の照度を徐々に変更することができる一方で、この調光領域からさらに使用者側に平行移動させて側方鏡反射光消失領域の範囲に移動させるだけで、手軽に安定して側方鏡反射光消失状態を作り出すことができ、発生頻度の多いシーンである完全間接照明シーンを簡単確実に再現できる。
このような優れた工夫によって、例えば、カラオケルームにおいて使用者の状態で変わる様々な光の照度、特に、カラオケルームで発生頻度が多い間接照明しか当たらない椅子に座っている状態での照度を、単に側方鏡を移動させる量だけで実現でき、一層の使い勝手やシーン再現性を向上させることができる。
【００６３】
また、本発明の実施形態による洗面化粧台１によれば、鏡ユニット４１０の側方鏡４１２を第２位置に移動させるという簡単な操作によって、側方鏡４１２が、上方照明部４２１及び下方照明部４２２から照射された照射光Ｌｕ、Ｌｄによる中央鏡反射光Ｒｕ２、Ｒｄ２を遮り第２位置での側方鏡４１２に映る使用者の顔を暗くすることができる。一方で開放された第１位置となる領域では側方鏡４１２からの強い側方鏡反射光Ｒｕ１、Ｒｄ１は消失し、側方鏡４１２がない状態で上方照明部４２１及び下方照明部４２２が単に照射光Ｌｕ、Ｌｄを照射しているだけの状態となるため使用者の顔への照射される光は減光され、使用者の顔の側面をぼんやり暗い状態で照らすような状態となる。よって、使用者の顔の正面は暗く、両側面がぼんやり明るい状態となることから、夜の街中を歩いている状態で、両側方のネオンや周囲の建物の窓やショールームから漏れる光で顔の側面がぼんやりと明るくなるようなシーンを再現できるものである。化粧を施して一番行くようなシーンであると思うが、これも単に鏡の操作だけで実現でき、化粧を失敗したくないときでも化粧をシーンに合わせて正確に行うことが可能となる。
【００６４】
また、本発明の実施形態による洗面化粧台１によれば、床面や机、テーブルからの床面反射光をカウンター部２２０からの反射光であるカウンター反射光Ｌｋで実現したものである。下方照明部４２２からの光を中央鏡４１１や側方鏡４１２で反射させた鏡面反射光Ｒｕ、Ｒｄは、鏡面での反射であるため非常に照度が高く、また乱反射しないことから、一般的な床面反射光とは違ったものになる。本件発明においては、カウンター部２２０の上面で光が乱反射することを利用して使用者の顔の下方に光を当てるようにしたことで、床面や机、テーブルと等価の光を使用者に投光することが可能となり、一層自然な形でシーンを再現できるようになった。よって、夜道など地面からのほんのりとした照り返しのある夜の繁華街のシーンを高いレベルで再現可能となり、このシーンを疑似体験しながら最適な化粧を施すことが可能となった。
【００６５】
以上、本発明の実施の形態について説明した。しかし、本発明はこれらの記述に限定されるものではなく、前述の本実施形態に関して、当業者が適宜設計変更を加えたものも、本発明の特徴を備えている限り、本発明の範囲に包含される。例えば、洗面化粧台１、照明ユニット４２０などが備える各要素の形状、寸法、材質、配置などは、例示したものに限定されるわけではなく適宜変更することができる。
【００６６】
また、前述した各実施の形態が備える各要素は、技術的に可能な限りにおいて組み合わせることができ、これらを組み合わせたものも本発明の特徴を含む限り本発明の範囲に包含される。
【符号の説明】
【００６７】
１      洗面化粧台
１００      下部収納キャビネット
１１０      開閉扉
２００      洗面器
２１０      洗面ボウル
２１１      排水口
２２０      カウンター部
３００      水栓装置
４００      ミラーキャビネット
４１０      鏡ユニット
４１１      中央鏡
４１２      側方鏡
４１３      フレーム部材
４２０      照明ユニット
４２１      上方照明部
４２２      下方照明部
４３０      ミラーキャビネット本体
【図１】
2018139784.tif 000003
【図２】
2018139784.tif 000004
【図３】
2018139784.tif 000005
【図４】
2018139784.tif 000006
【図５】
2018139784.tif 000007
【図６】
2018139784.tif 000008
【図７】
2018139784.tif 000009
【図８】
2018139784.tif 000010
【図９】
2018139784.tif 000011
【図１０】
2018139784.tif 000012
【図１１】
2018139784.tif 000013
【図１２】
2018139784.tif 000014